(57)【特許請求の範囲】
【請求項１】
室内温度を切り替えできる温度切替室を備えた冷蔵庫において、
冷却器の冷気を前記温度切替室の空気流入口に導く導入通風路と、
前記導入通風路を開閉する温度切替室吐出ダンパと、
前記温度切替室の空気流出口から流出した空気を前記冷却器に戻す戻り通風路と、
前記戻り通風路を開閉する温度切替室戻りダンパとを備え、
前記導入通風路及び前記戻り通風路を隣接して配置するとともに、前記温度切替室吐出ダンパ及び前記温度切替室戻りダンパを共通のバッフルにより開閉し、
前記温度切替室吐出ダンパ及び前記温度切替室戻りダンパを水平方向に並べて配し、
前記温度切替室は冷却器による冷却とヒータによる加熱とによって貯蔵物を冷却保存する低温側と常温よりも高温の高温側とに切り替えでき、前記温度切替室を低温側にした際に前記導入通風路及び前記戻り通風路を同時に開くとともに、前記温度切替室を高温側にした際に前記導入通風路及び前記戻り通風路を同時に閉じ、
前記温度切替室を高温側にした際に前記温度切替室の空気を循環させる温度切替室送風機と、前記空気流出口と前記空気流入口とを連通させる連通路とを設け、前記温度切替室戻りダンパは前記バッフルの移動によって前記戻り通風路を閉じた際に前記連通路を開き、前記戻り通風路を開いた際に前記連通路を閉じ、
前記温度切替室戻りダンパの水平方向の領域の少なくとも一部を前記温度切替室送風機の下方近傍に配し、前記温度切替吐出ダンパを前記温度切替室戻りダンパの近傍に配し、
前記戻り通風路は、冷蔵室から流出した冷気が流通する通路と前記冷却器との間に設け、
前記温度切替室戻りダンパに通じる前記戻り通風路は、少なくとも一部は独立した前記冷却器に通じる通風路である
ことを特徴とする冷蔵庫。
【請求項２】
前記温度切替室戻りダンパ及び前記温度切替室吐出ダンパは前記温度切替室の下方に水平方向に並んで位置することを特徴とする請求項１に記載の冷蔵庫。
【請求項３】
前記バッフルは前記導入通風路を塞ぐ第１押え部と前記戻り通風路を塞ぐ第２押え部とを有し、第１、第２押え部の間に切欠きを設けたことを特徴とする請求項１または請求項２に記載の冷蔵庫。
【請求項４】
前記バッフルにより開閉される前記戻り通風路の開口の面積を、前記バッフルにより開閉される前記導入通風路の開口の面積よりも大きくしたことを特徴とする請求項１〜請求項３のいずれかに記載の冷蔵庫。
【発明の詳細な説明】
【技術分野】
【０００１】
本発明は、ユーザにより所望の室内温度に切り替えることができる温度切替室を備えた冷蔵庫に関する。
【背景技術】
【０００２】
生活環境の変化が著しい昨今においては、家族それぞれが食事を摂る時間が異なる家庭が増えている。このため、加熱食品を保温するために保温箱や保温用収納容器が用いられる。これにより、調理を何度も行う手間を省くことができる。
【０００３】
一方、冷凍室及び冷蔵室に加えて温度切替室を備えた冷蔵庫が特許文献１に開示されている。この冷蔵庫は、温度切替室に送出される冷気の通路を開閉するダンパ装置と、温度切替室を昇温するヒータとを備えている。これにより、温度切換室の室内温度を使用者の用途に応じて冷凍、冷蔵、パーシャル、チルド等の所望の低温の温度帯に切り替えることができる。
【特許文献１】特開平１０−２８８４４０号公報
【発明の開示】
【発明が解決しようとする課題】
【０００４】
しかしながら、加熱食品を保温するために保温箱や収納容器を用いると設置場所の確保が困難な問題や使用者の経済的負担が大きくなる問題がある。また、食品を移し替える煩雑な作業を必要とし、利便性が悪い問題があった。
【０００５】
本発明は、使用者の負担を軽減するとともに場所の確保を容易にして利便性の高い冷蔵庫を提供することを目的とする。
【課題を解決するための手段】
【０００６】
上記目的を達成するために本発明に冷蔵庫は、室内温度を切り替えできる温度切替室を備えた冷蔵庫において、冷却器の冷気を前記温度切替室の空気流入口に導く導入通風路と、前記導入通風路を開閉する温度切替室吐出ダンパと、前記温度切替室の空気流出口から流出した空気を前記冷却器に戻す戻り通風路と、前記戻り通風路を開閉する温度切替室戻りダンパとを備え、前記導入通風路及び前記戻り通風路を隣接して配置するとともに、前記温度切替室吐出ダンパ及び前記温度切替室戻りダンパを共通のバッフルにより開閉し、前記温度切替室吐出ダンパ及び前記温度切替室戻りダンパを水平方向に並べて配し、前記温度切替室は冷却器による冷却とヒータによる加熱とによって貯蔵物を冷却保存する低温側と常温よりも高温の高温側とに切り替えでき、前記温度切替室を低温側にした際に前記導入通風路及び前記戻り通風路を同時に開くとともに、前記温度切替室を高温側にした際に前記導入通風路及び前記戻り通風路を同時に閉じ、前記温度切替室を高温側にした際に前記温度切替室の空気を循環させる温度切替室送風機と、前記空気流出口と前記空気流入口とを連通させる連通路とを設け、前記温度切替室戻りダンパは前記バッフルの移動によって前記戻り通風路を閉じた際に前記連通路を開き、前記戻り通風路を開いた際に前記連通路を閉じ、前記温度切替室戻りダンパの水平方向の領域の少なくとも一部を前記温度切替室送風機の下方近傍に配し、前記温度切替吐出ダンパを前記温度切替室戻りダンパの近傍に配し、前記戻り通風路は、冷蔵室から流出した冷気が流通する通路と前記冷却器との間に設け、前記温度切替室戻りダンパに通じる前記戻り通風路は、少なくとも一部は独立した前記冷却器に通じる通風路であることを特徴としている。
【０００７】
この構成によると、冷却器により生成された冷気は冷凍室等の貯蔵室に導かれて貯蔵物を冷却する。温度切替室吐出ダンパ及び温度切替室戻りダンパの共通のバッフルを回動して導入通風路及び戻り通風路が開かれる。これにより、冷却器により生成された冷気は導入通風路を通って空気流入口から温度切替室内に流入する。該冷気は温度切替室内を流通して空気流出口から流出し、戻り通風路を介して冷却器に戻る。温度切替室吐出ダンパ及び温度切替室戻りダンパのバッフルを回動して導入通風路及び戻り通風路を閉じると、温度切替室への冷気の流入が遮断される。
【００１０】
また、温度切替室を低温側にすると、温度切替室吐出ダンパ及び温度切替室戻りダンパの共通のバッフルを回動して導入通風路及び戻り通風路が開かれる。温度切替室を高温側にすると、温度切替室吐出ダンパ及び温度切替室戻りダンパは共通のバッフルによって導入通風路及び戻り通風路を閉じる。そして、ヒータが駆動され、温度切替室内の空気が昇温される。
【００１１】
また、バッフルによって導入通風路及び戻り通風路を閉じると連通路が開き、温度切替室の空気は連通路を介して循環する。また、前記温度切替室戻りダンパに通じる前記戻り通風路は、少なくとも一部は独立した前記冷却器に通じる通風路であることを特徴とする。また、前記温度切替室戻りダンパ及び前記温度切替室吐出ダンパは前記温度切替室の下方に水平方向に並んで位置することを特徴とする。
【００１２】
また本発明は上記構成の冷蔵庫において、前記バッフルは前記導入通風路を塞ぐ第１押え部と前記戻り通風路を塞ぐ第２押え部とを有し、第１、第２押え部の間に切欠きを設けたことを特徴としている。この構成によると、導入通風路と戻り通風路との間を仕切る仕切部材等が切欠き内に設けられ、温度切替室に流入する空気と温度切替室から流出する空気とが隔離される。仕切部材は冷蔵庫の筐体を構成する断熱部材により形成してもよく、温度切替室吐出ダンパ及び温度切替室戻りダンパと一体に形成してもよい。
【００１３】
また本発明は上記構成の冷蔵庫において、前記バッフルにより開閉される前記戻り通風路の開口の面積を、前記バッフルにより開閉される前記導入通風路の開口の面積よりも大きくしたことを特徴としている。この構成によると、温度切替室を低温側にした際に貯蔵物と熱交換して昇温された空気が広い開口面積の戻り通風路を流通する。
【発明の効果】
【００１４】
本発明によると、導入通風路及び戻り通風路を隣接して配置するとともに、温度切替室吐出ダンパ及び温度切替室戻りダンパを共通のバッフルにより開閉したので、温度切替室吐出ダンパ及び温度切替室戻りダンパを一体化して占有スペースを小さくすることができる。これにより、冷蔵庫の小型化を図ることができるとともに、温度切替室吐出ダンパ及び温度切替室戻りダンパの取付けの作業性を向上することができる。また、バッフル及びバッフルの駆動装置を複数設ける必要がなく、部品点数を削減することができる。
【００１６】
また本発明によると、貯蔵物を冷蔵保存または冷凍保存する低温側と常温よりも高温の高温側とに室内温度を切り替えできる温度切替室を備えたので、加熱食品を保温するための使用者の経済的負担を軽減するとともに場所の確保を容易にして利便性の高い冷蔵庫を提供することができる。
【００１７】
また本発明によると、温度切替室戻りダンパはバッフルの移動によって戻り通風路を閉じた際に連通路を開き、戻り通風路を開いた際に連通路を閉じるので、部品点数を増加させることなく温度切替室内の空気を容易に循環させることができる。
【００１８】
また本発明によると、バッフルに切欠きを設けたので、導入通風路内の空気が戻り通風路に流入するショートサーキットを防止することができる。また、一の駆動装置によってバッフルを駆動することができる。
【００１９】
また本発明によると、バッフルにより開閉される戻り通風路の開口の面積を、バッフルにより開閉される導入通風路の開口の面積よりも大きくしたので、貯蔵物と熱交換して昇温された空気を広い開口面積の戻り通風路に流通させて圧力損失を低減することができる。また、空気流出口と空気流入口とを連通する連通路を設けた場合は、バッフルは戻り通風路の開口を開閉する部分によって連通路を開閉する。これにより、連通路の開口面積を大きくすることができるため、温度切替室を高温側にした際に循環する空気の圧力損失を低減して加熱効率を向上することができる。
【発明を実施するための最良の形態】
【００２０】
以下に本発明の実施形態を図面を参照して説明する。図１、図２は一実施形態の冷蔵庫を示す正面図及び右側面図である。冷蔵庫１は、上部に冷蔵室２が配され、冷蔵室２の下方に温度切替室３及び製氷室４が並設される。温度切替室３及び製氷室４の下方には冷凍室６が配される。冷凍室６の下方には野菜室５が配されている。
【００２１】
冷蔵室２は貯蔵物を冷蔵保存する。温度切替室３は使用者により貯蔵物を冷却保存する低温側の複数の温度帯や常温よりも高温の高温側に切り替えることができる。温度切替室３を高温側にして調理済み加熱食品の一時的な保温や温調理等を行うことができる。製氷室４は氷点以下に維持され、製氷を行う。冷凍室６は製氷室４に連通して貯蔵物を冷凍保存する。野菜室５は野菜の貯蔵に適した温度（約８℃）に維持される。
【００２２】
図３は冷蔵庫１の右側面断面図である。製氷室４、冷凍室６、野菜室５及び温度切替室３には貯蔵物を収納する収納ケース４３が設けられる。冷蔵室２には貯蔵物を載置する複数の収納棚４１が設けられる。冷蔵室２の扉には複数の収納ポケット４２が設けられる。これらにより、冷蔵庫１の使い勝手が向上されている。また、冷蔵室２内の下部にはチルド温度帯（約０℃）に維持されたチルド室２１が設けられている。
【００２３】
冷凍室６の背後には冷気通路３１が設けられ、冷気通路３１内には圧縮機４５に接続された冷却器１１が配される。冷蔵室２の背後には冷蔵室ダンパ２０を介して冷気通路３１と連通する冷気通路３２が設けられる。凝縮器、膨張器（いずれも不図示）が接続された圧縮機４５の駆動によりイソブタン等の冷媒が循環して冷凍サイクルが運転される。これにより、冷凍サイクルの低温側となる冷却器１１と冷気通路３１を流通する空気とが熱交換して冷気が生成される。尚、冷却器１１を除霜する除霜ヒータ３３が冷却器１１の下方に設けられている。
【００２４】
冷気通路３１、３２内には冷凍室送風機１２及び冷蔵室送風機２３がそれぞれ配される。詳細を後述するように、冷却器１１で生成された冷気は冷凍室送風機１２の駆動により冷気通路３１を介して冷凍室６、製氷室４及び温度切替室３に供給される。また、該冷気は、冷蔵室送風機２３の駆動により冷気通路３２を介して冷蔵室２、チルド室２１及び野菜室５に供給される。
【００２５】
図４は冷蔵庫１の中段付近の正面断面図を示している。冷凍室６の背後の冷気通路３１は冷凍室送風機１２の前面を開口し、冷凍室送風機１２によって製氷室４に空気が送出される。製氷室４に連通する冷凍室６の下部には冷凍室ダンパ２２が設けられる。冷凍室ダンパ２２の開閉により冷凍室６から流出する空気の風量が調整される。また、冷気通路３１から分岐して温度切替室３に冷気を導く導入通風路１５が設けられる。
【００２６】
冷気通路３１の上部は冷蔵室ダンパ２０を介して冷気通路３２に連通する。冷蔵室ダンパ２０を開いて冷凍室送風機１２を駆動すると冷蔵室２及びチルド室２１に冷気が供給される。冷蔵室２の背面下部には冷蔵室流出口（不図示）が開口し、野菜室５には野菜室流入口（不図示）が設けられる。冷蔵室流出口と野菜室流入口とは温度切替室３の背面を通る連結通路３４により連結され、冷蔵室２と野菜室５が連通している。野菜室５の背面上部には冷気通路３１に連通する戻り通風路３５（図３参照）が設けられている。
【００２７】
断熱壁３９により製氷室４と断熱隔離される温度切替室３の上部には温度切替室送風機１８及びヒータ１６が配置される。温度切替室３の下部にはダンパ装置３６が設けられる。ダンパ装置３６は温度切替室吐出ダンパ３７（図５参照）と温度切替室戻りダンパ３８（図６参照）のハウジング３６ａを一体化して形成されている。温度切替室吐出ダンパ３７は導入通風路１５の経路上に配される。温度切替室戻りダンパ３８は導入通風路１５に隣接して設けられる戻り通風路１７の経路上に配される。戻り通風路１７を介して温度切替室３内の空気は冷気通路３１に戻るようになっている。
【００２８】
図５は図４のＥ−Ｅ断面図を示している。温度切替室３の上下面は断熱壁７、８により冷蔵室２及び冷凍室６と断熱隔離されている。また、温度切替室３の前面は回動式の扉９により開閉可能になっている。温度切替室３の背面は背面板４０により覆われている。背面板４０の上部には温度切替室３に空気が流入する空気流入口４０ａが設けられる。また、背面板４０の下部には温度切替室３から空気が流出する空気流出口４０ｂ（図６参照）が設けられる。
【００２９】
導入通風路１５は背面板４０と外壁を形成する断熱壁１０との間に設けられ、冷気を空気流入口４０ａに導く。温度切替室吐出ダンパ３７は導入通風路１５の下部に配置される。温度切替室吐出ダンパ３７の開閉量によって導入通風路１５から温度切替室３に流入する風量が調整される。温度切替室送風機１８は導入通風路１５の上部に配置され、温度切替室送風機１８と空気流入口４０ａとの間にヒータ１６が配置される。
【００３０】
ヒータ１６は熱輻射式のガラス管ヒータから成り、背面板４０を介して放出される輻射熱により温度切替室３を昇温する。温度切替室送風機１８はヒータ１６の表面に向けて送風するように配置されている。これにより、ヒータ１６の表面温度を下げて安全性を向上することができる。
【００３１】
図６は図４のＦ−Ｆ断面図を示している。空気流出口４０ｂの後方には温度切替室戻りダンパ３８が配された戻り通風路１７が設けられる。戻り通風路１７は温度切替室戻りダンパ３８の空気流出口４０ｂ側から上方に向かって連通路３０が分岐する。連通路３０は空気流出口４０ｂと温度切替室送風機１８の吸気側とを連通させる。温度切替室戻りダンパ３８は後述するバッフル２６の回動によって戻り通風路１７を閉じた際に連通路３０を開き、戻り通風路１７を開いた際に連通路３０を閉じるようになっている。
【００３２】
図７、図８はダンパ装置３６を示す正面図及び側面断面図である。ダンパ装置３６はハウジング３６ａの前面に配されるバッフル２６が枢支部２６ａで枢支されている。バッフル２６の枢支部２６ａは駆動部２３に連結され、バッフル２６は駆動部２３の駆動によって回動する。
【００３３】
図９はハウジング３６ａを示す正面図である。ハウジング３６ａは樹脂成形品から成り、仕切壁１９で仕切られた第１、第２開口部２４、２５が隣接して設けられている。第１開口部２４は導入通風路１５の経路上に配置され、第２開口部２５は戻り通風路１７の経路上に配置される。また、第２開口部２５の開口面積が第１開口部２４の開口面積よりも大きくなっている。
【００３４】
図１０はバッフル２６を示す正面図である。バッフル２６は切欠き２９を介して隣接する第１、第２押え部２７、２８を有している。第１、第２押え部２７、２８は枢支部２６ａで連結して一体に回動し、それぞれ第１、第２開口部２４、２５（図９参照）を開閉する。従って、導入通風路１５を開閉する温度切替室吐出ダンパ３７（図５参照）は第１開口部２４及び第１押え部２７により構成される。また、戻り通風路１７を開閉する温度切替室戻りダンパ３８（図６参照）は第２開口部２５及び第２押え部２８により構成される。
【００３５】
導入通風路１５と戻り通風路１７とは断熱壁１０（図５参照）と一体に形成される断熱材（不図示）により隔離されている。該断熱材は切欠き２９を介して仕切壁１９に当接する。これにより、導入通風路１５内の空気が戻り通風路１７に流入するショートサーキットを防止することができる。また、切欠き２９によって断熱材を回避して第１、第２押え部２７、２８を容易に回動させることができる。切欠き２９を介して前方に突出するように仕切壁１９を形成して導入通風路１５と戻り通風路１７とを隔離してもよい。
【００３６】
図１１は冷蔵庫１の冷気の流れを示す冷気回路図である。冷凍室６、冷蔵室２及び温度切替室３はそれぞれ並列に配される。また、野菜室５は冷蔵室２と直列に配され、製氷室４は冷凍室６と一部が直列に配される。冷却器１１で生成された冷気は、冷凍室送風機１２の駆動により冷気通路３１を上昇して製氷室４及び冷凍室６に送出される。製氷室４に送出された冷気は製氷室４を流通して冷凍室６に流入する。冷凍室６内の冷気は冷凍室ダンパ２２から流出し、冷気通路３１を介して冷却器１１に戻る。これにより、製氷室４及び冷凍室６内が冷却される。
【００３７】
冷蔵室ダンパ２０を開いて冷蔵室送風機２３の駆動すると、冷気通路３１の上部で分岐した冷気が矢印Ａ（図４参照）に示すように冷気通路３２を流通する。これにより、冷蔵室２及びチルド室２１に冷気が送出される。この冷気は冷蔵室２及びチルド室２１を流通した後、矢印Ｂ（図４参照）に示すように連結通路３４を通って野菜室５に流入する。野菜室５に流入した冷気は野菜室５内を流通して戻り通風路３５（図３参照）を介して冷却器１１に戻る。これにより、冷蔵室２及び野菜室５内が冷却され、設定温度になると冷蔵室ダンパ２０が閉じられる。
【００３８】
また、温度切替室吐出ダンパ３７を開いて温度切替室送風機１８を駆動すると、冷気通路３１内の冷気の一部は矢印Ｃ（図４参照）に示すように導入通風路１５を流通する。導入通風路１５を流通する冷気は温度切替室吐出ダンパ３７の第１開口部２４を介して温度切替室３の空気流入口４０ａに導かれる。空気流入口４０ａから温度切替室３に流入した冷気は温度切替室３内を流通し、空気流出口４０ｂから流出する。そして、温度切替室戻りダンパ３８を介して矢印Ｄ（図４参照）に示すように戻り通風路１７を流通し、冷却器１１に戻る。これにより、温度切替室３内が冷却される。
【００３９】
前述のように、温度切替室３は使用者の操作により室内温度を切り替えることができるようになっている。温度切替室３の動作モードは温度帯に応じてワイン（８℃）、冷蔵（３℃）、チルド（０℃）、ソフト冷凍（−８℃）、冷凍（−１５℃）の各冷却モードが設けられる。
【００４０】
これにより、使用者は所望の温度で貯蔵物を冷凍または冷蔵して冷却保存できる。室内温度の切り替えは温度切替室吐出ダンパ３７を開く量を可変して行うことができる。尚、例えば冷凍の室内温度から冷蔵の室内温度に切り替える際にヒータ１６に通電して昇温してもよい。これにより、迅速に所望の室内温度に切り替えることができる。
【００４１】
また、ヒータ１６に通電することにより、温度切替室３の室内温度を低温側から常温よりも高温の高温側に切り替えることができる。温度切替室３を高温側に切り替えると、ダンパ装置３６の温度切替室吐出ダンパ３７及び温度切替室戻りダンパ３８がバッフル２６によって第１、第２開口部２４、２５を閉じる。これにより、導入通風路１５及び戻り通風路１７が閉じられる。
【００４２】
また、ヒータ１６及び温度切替室送風機１８が駆動され、温度切替室３内の空気は図６の破線矢印Ｓに示すように連通路３０を介して循環する。これにより、温度切替室３内の空気が昇温され、ヒータ１６の通電制御によって常温よりも高温の所定温度に維持される。
【００４３】
高温側の室内温度は、主な食中毒菌の発育温度が３０℃〜４５℃であるため、ヒータ容量の公差や温度切替室３内の温度分布等を考慮して５０℃以上にするとよい。これにより、雑菌の繁殖を防止できる。また、冷蔵庫に用いられる一般的な樹脂製部品の耐熱温度が８０℃であるため、高温側の室内温度を８０℃以下にすると安価に実現することができる。加えて、食中毒菌を滅菌するためには、例えば腸管出血性大腸菌（病原性大腸菌Ｏ１５７）の場合では７５℃で１分間の加熱が必要である。従って、高温側の室内温度を７５℃〜８０℃にするとより望ましい。
【００４４】
以下は５５℃での食中毒菌の減菌に関する試験結果である。試験サンプルは初期状態で大腸菌２．４×１０3ＣＦＵ／ｍＬ、黄色ブドウ球菌２．０×１０3ＣＦＵ／ｍＬ、サルモネラ２．１×１０3ＣＦＵ／ｍＬ、腸炎ビブリオ１．５×１０3ＣＦＵ／ｍＬ、セレウス４．０×１０3ＣＦＵ／ｍＬを含んでいる。この試験サンプルを４０分間で３℃から５５℃に加温し、５５℃で３．５時間保温後、８０分間で５５℃から３℃に戻して再度各菌の量を調べた。その結果、いずれの菌も１０ＣＦＵ／ｍＬ以下（検出せず）のレベルまで減少していた。従って、温度切替室３の高温側の設定温度を５５℃としても充分減菌効果がある。
【００４５】
本実施形態によると、貯蔵物を冷蔵保存または冷凍保存する低温側と常温よりも高温の高温側とに室内温度を切り替えできる温度切替室３を備えたので、加熱食品を保温するための使用者の経済的負担を軽減するとともに場所の確保を容易にして利便性の高い冷蔵庫１を提供することができる。
【００４６】
また、導入通風路１５及び戻り通風路１７を隣接して配置するとともに、温度切替室吐出ダンパ３７及び温度切替室戻りダンパ３８を共通のバッフル２６により開閉したので、温度切替室吐出ダンパ３７及び温度切替室戻りダンパ３８を一体化して占有スペースを小さくすることができる。これにより、冷蔵庫１の小型化を図ることができるとともに、温度切替室吐出ダンパ３７及び温度切替室戻りダンパ３８の取付けの作業性を向上することができる。また、バッフル２６及びバッフル２６の駆動装置を複数設ける必要がなく、部品点数を削減することができる。加えて、シール材やリード線等の部品も削減することができ、作業性をより向上することができる。
【００４７】
また、温度切替室吐出ダンパ３７及び温度切替室戻りダンパ３８のハウジング３６ａを一体に形成したので、温度切替室吐出ダンパ３７及び温度切替室戻りダンパ３８を容易に設置することができる。
【００４８】
また、ダンパ装置３６の第１開口部２４の開口面積を第２開口部２５の開口面積よりも大きくしたので、貯蔵物と熱交換して昇温により膨張する空気を広い開口面積の戻り通風路１７に流通させて圧力損失を低減することができる。また、バッフル２６は戻り通風路１７の第２開口部２５を開閉する第２押さえ部２８によって連通路３０を開閉する。このため、連通路３０の開口面積を大きくすることができ、温度切替室３を高温側にした際に循環する空気の圧力損失を低減して加熱効率を向上することができる。
【００４９】
尚、本実施形態において、野菜室５の流出口にダンパを設けてもよい。これにより、温度切替室３を高温側から低温側に切り替えた際に、該ダンパを閉じて温度切替室３からの熱風が野菜室５に逆流することを防止できる。また、温度切替室３を高温側から低温側へ切り替える際に冷凍室送風機１２が停止されている場合には、冷凍室ダンパ２２が閉じられるようになっている。これにより、温度切替室送風機１８の駆動によって冷凍室ダンパ２２から冷凍室６内へ熱風が逆流することを防止できる。
【００５０】
また、冷却器１１によって冷凍室６及び冷蔵室２を冷却しているが、冷蔵室２及び野菜室５専用の冷却器を別途設けてもよい。この時、冷却器１１によって冷凍室６及び温度切替室３を冷却することができる。
【産業上の利用可能性】
【００５１】
本発明によると、温度切替室を有した冷蔵庫に利用することができる。
【図面の簡単な説明】
【００５２】
【図１】本発明の実施形態の冷蔵庫を示す正面図
【図２】本発明の実施形態の冷蔵庫を示す右側面図
【図３】本発明の実施形態の冷蔵庫を示す右側面断面図
【図４】本発明の実施形態の冷蔵庫を示す正面断面図
【図５】図４のＥ−Ｅ断面図
【図６】図４のＦ−Ｆ断面図
【図７】本発明の実施形態の冷蔵庫のダンパ装置を示す正面図
【図８】本発明の実施形態の冷蔵庫のダンパ装置を示す側面断面図
【図９】本発明の実施形態の冷蔵庫のダンパ装置のハウジングを示す正面図
【図１０】本発明の実施形態の冷蔵庫のダンパ装置のバッフルを示す正面図
【図１１】本発明の実施形態の冷蔵庫の冷気の流れを示す冷気回路図
【符号の説明】
【００５３】
１    冷蔵庫
２    冷蔵室
３    温度切替室
４    製氷室
５    野菜室
６    冷凍室
９    扉
１１    冷却器
１２    冷凍室送風機
１５    導入通風路
１６    ヒータ
１７、３５  戻り通風路
１８    温度切替室送風機
２０    冷蔵室ダンパ
２１    チルド室
２２    冷凍室ダンパ
２３    冷蔵室送風機
２４    第１開口部
２５    第２開口部
２６    バッフル
２７    第１押え部
２８    第２押え部
２９    切欠き
３０    連通路
３１、３２  冷気通路
３４    連結通路
３６    ダンパ装置
３６ａ  ハウジング
３７    温度切替室吐出ダンパ
３８    温度切替室戻りダンパ
４０    背面板
４０ａ  空気流入口
４０ｂ  空気流出口
４５    圧縮機
【図１】
0004646857.tif 000002
【図２】
0004646857.tif 000003
【図３】
0004646857.tif 000004
【図４】
0004646857.tif 000005
【図５】
0004646857.tif 000006
【図６】
0004646857.tif 000007
【図７】
0004646857.tif 000008
【図８】
0004646857.tif 000009
【図９】
0004646857.tif 000010
【図１０】
0004646857.tif 000011
【図１１】
0004646857.tif 000012